(57)【要約】      （修正有）【課題】構造内部にダンパー装置が増設されることにより空間が節約され、製造コストが低下するスキャナー用のシャフト装置を提供する。【解決手段】シャフト装置は、第一固持部材１０とピボット部材２０と弾性押圧モジュール３０と第二固持部材４０とダンパーモジュール５０と第一支持部材６０とを備える。ピボット部材は第一固持部材に枢着され、第一固持部材に対して第一位置、第二位置及び第三位置まで回転を行う。弾性押圧モジュールは第一固持部材内に固持収容され、ピボット部材を弾性押圧し、ピボット部材と第一固持部材との相対的な位置を保持させる。第二固持部材は機体とピボット部材との間に固定される。ダンパーモジュールは、ダンパーとダンパー固持部材と弾性部材とを具備する。ピボット部材が連動されて第二位置から第三位置まで回転を行うと、第一支持部材が接触部に持続的に接触して押圧され、ダンパー効果を有する。【選択図】図２
0003215562.tif 000002
【実用新案登録請求の範囲】
【請求項１】
機体を含むスキャナーに応用されるシャフト装置であって、前記シャフト装置は、
第一固持部材と、
第一固持部材に枢着され、第一固持部材に対して第一位置、第二位置及び第三位置まで回転を行うピボット部材と、
第一固持部材内に固持されるように収容され、弾性によりピボット部材を押圧し、ピボット部材を第一固持部材との相対的な位置に保持させる弾性押圧モジュールと、
機体とピボット部材との間に固定されるように装設され、上下に貫通される収容溝が開設される第二固持部材と、
収容溝内に収容され、ダンパーと、ダンパー固持部材と、弾性部材とを含み、ダンパーは固定部及び接触部を有し、固定部はダンパー固持部材に固定されるように装設され、接触部は弾性により上下に押圧し、ダンパー固持部材の頂端は第二固持部材に枢着され、弾性部材の一端は第二固持部材に固持され、他端はダンパー固持部材の頂端の一側に固持されるダンパーモジュールと、
第一固持部材に固持される第一支持部材とを備え、
機体によりピボット部材が連動されて第一位置から第二位置まで回転を行うと、第一支持部材が接触部に未接触となって押圧されず、ダンパー効果を有さず、ダンパー固持部材により固定部が連動されると弾性部材の弾性作用により固定されて動かなくなり、機体によりピボット部材が連動されて第二位置から第三位置まで回転を行うと、第一支持部材が接触部に持続的に接触して押圧され、ダンパー効果を有し、ダンパー固持部材により固定部が連動されると弾性部材の弾性作用及び第一支持部材の押圧作用により収容溝内で擺動を行うことを特徴とするシャフト装置。
【請求項２】
前記第一固持部材の上端の両側にはピボット孔がそれぞれ開設され、ピボット孔内にはピボットシャフトが固持され、ピボット部材はピボット部を有し、ピボット部にはピボット孔が開設され、ピボットシャフトはピボット孔内に枢着され、ピボット部材は第一固持部材に対して回転を行うことを特徴とする請求項１に記載のシャフト装置。
【請求項３】
前記ピボット部材は固持部を有し、固持部の上表面には固持溝が開設され、第二固持部材の下端は固持溝内に固持され、第二固持部材はピボット部材にロックされ、収容溝の前端の上縁の両側の溝壁には第一固定軸孔がそれぞれ開設され、第一固定軸孔内には第一固定軸が固定されるように装設され、収容溝の後端の上縁の両側の溝壁には第二固定軸孔がそれぞれ開設され、第二固定軸孔内には第二固定軸が固定されるように装設され、ダンパー固持部材は本体及び本体の頂端から後に向けて延伸されるように形成される連結部を有し、連結部の頂端の中央部箇所にはフック部が設置され、連結部の後端には孔部が開設され、フック部は第一固定軸に引っ掛けられ、弾性部材の一端は第二固定軸に固定されるように引っ掛けられ、弾性部材の他端は孔部に固定されるように係着され引っ掛けられることを特徴とする請求項１に記載のシャフト装置。
【請求項４】
前記固持部の下表面には開放溝が上向きに開設され、開放溝の後端の溝壁の中央部には前に向けて突出するようにストッパーが形成され、接触部の後端には係止溝が開設され、ストッパーは係止溝に可動に収容されるか、或いは脱離され、ピボット部材が第一位置まで回転を行うと、ストッパーが接触部の係止溝内に止着され、ピボット部材が第三位置まで回転を行うと、ストッパーが接触部の係止溝から脱離されることを特徴とする請求項３に記載のシャフト装置。
【請求項５】
前記本体の下端の両側にはそれぞれ両側に向けて後向きに延伸される第一係止部が形成され、本体の下端縁には後に向けて延伸されるように第二係止部が形成され、連結部の後端の下表面には突出するように第三係止部が形成され、ダンパーの固定部は第一係止部、第二係止部及び第三係止部を介してダンパー固持部材に固持されることを特徴とする請求項３に記載のシャフト装置。
【請求項６】
前記第一固持部材の上部の外側には第一固定溝が開設され、第一固持部材の前端の上縁には第二固定溝が開設され、第一支持部材はベースを有し、ベースの両側から後ろ向きに湾曲されて延伸された後に上向きに湾曲されて延伸される延伸部及びベースの上端縁から後ろ向きに湾曲されて延伸される係合接触部が形成され、ベース及び延伸部は第一固定溝内に固持されるように収容され、係合接触部は第二固定溝内に係合されるように収容されることを特徴とする請求項１に記載のシャフト装置。
【請求項７】
前記第一固持部材には上から下に向けて収容溝が開設され、弾性押圧モジュールは弾性部材と、プランジャと、ピンとを備え、弾性部材及びプランジャは第一固持部材の収容溝内に収容され、プランジャの頂端には細長い凹部が開設され、プランジャには底端から上に向けて弾性収容溝が開設され、ピンは凹部内に収容され、弾性部材は弾性収容溝内に収容されると共にプランジャを弾性により押圧し、ピンが枢着部に当接されることを特徴とする請求項１に記載のシャフト装置。
【請求項８】
前記収容溝の溝底壁には凸プレートが凸設され、凸プレートには２つのボスが設置され、シャフト装置は第二支持部材を更に有し、第二支持部材は基板及び基板の両側から上向きに湾曲されて延伸された後に後上向きに湾曲されて延伸されるように形成される２枚の側板を有し、基板には係合孔が開設され、基板の前縁及び後縁にはそれぞれ下向きに湾曲されて延伸される係合フック部が形成され、ボスは係合孔内に係合され、２つの係合フック部は凸プレートの前表面及び後表面にそれぞれ係合され、２枚の側板の上端は第一固持部材及び第一支持部材にロックされることを特徴とする請求項７に記載のシャフト装置。
【考案の詳細な説明】
【技術分野】
【０００１】
本考案は、シャフト装置に関し、より詳しくは、ダンピング効果を有するシャフト装置に関する。
【背景技術】
【０００２】
プリンター、スキャナー、複写機及びファックス等のオフィス設備は広く応用されており、プリンター、スキャナー、複写機及びファックスは一般的にシャフト装置及びダンパー装置を有する。ダンパー装置を備えるシャフト装置は一般的に２種類あり、１つはプラスチック製シャフト装置である。プラスチック製シャフト装置は一般的に内部にばねが装設されるが、プラスチック部材自身の強度の限界のためにダンパー装置をプラスチック部材に内設できず、ダンパー装置を設置させるための空間を別途設計する必要があった。一般的には低級機種に応用される。もう１種類は鉄製シャフト装置である。鉄製シャフト装置の構造本体には鉄部材が使用され、リベットにより固定される。構造全体の強度が高く、鉄部材はプラスチック製シャフト装置よりも大きな内部空間が設計され、鉄製シャフト装置内部にダンパー装置を増設可能である。このため、空間を別途設計せずともよく、鉄製シャフト装置は低級機種及び高級機種に応用可能となるが、但し、高価で、体積も大きく、重量も重かった。
【考案の概要】
【考案が解決しようとする課題】
【０００３】
しかしながら、前述した従来の技術では、別途空間を設計する必要があり、高価格で、体積が大きく重い。
【０００４】
かかる従来の実情に鑑みて、本考案は、ダンピング効果を有するシャフト装置を提供することを目的とする。
【課題を解決するための手段】
【０００５】
上述した課題を解決し、目的を達成するために、本考案に係るシャフト装置は、機体を含むスキャナーに応用される。前記シャフト装置は第一固持部材と、ピボット部材と、弾性押圧モジュールと、第二固持部材と、ダンパーモジュールと、第一支持部材とを更に備える。ピボット部材は第一固持部材に枢着され、ピボット部材は第一固持部材に対して第一位置、第二位置及び第三位置まで回転を行う。弾性押圧モジュールは第一固持部材内に固持されるように収容され、弾性押圧モジュールはピボット部材を弾性により押圧し、ピボット部材が第一固持部材との相対的な位置を保持させるようにする。第二固持部材は機体とピボット部材との間に固定されるように装設され、第二固持部材には上下に貫通される収容溝が開設される。ダンパーモジュールは収容溝内に収容され、ダンパーモジュールはダンパーと、ダンパー固持部材と、弾性部材とを具備する。ダンパーは固定部及び接触部を有し、固定部はダンパー固持部材に固定されるように装設され、接触部は弾性により上下に押圧する。ダンパー固持部材の頂端は第二固持部材に枢着され、弾性部材の一端は第二固持部材に固持され、他端はダンパー固持部材の頂端の一側に固持される。第一支持部材は第一固持部材に固持される。機体によりピボット部材が連動されて第一位置から第二位置まで回転を行うと、第一支持部材が接触部に未接触となって押圧されず、ダンピング効果を有さず、ダンパー固持部材により固定部が連動されると弾性部材の弾性作用により固定されて動かなくなる。機体によりピボット部材が連動されて第二位置から第三位置まで回転を行うと、第一支持部材が接触部に持続的に接触して押圧され、ダンピング効果を有し、ダンパー固持部材により固定部が連動されると弾性部材の弾性作用及び第一支持部材の押圧作用により収容溝内で擺動を行う。
【考案の効果】
【０００６】
上述したように、本考案のシャフト装置は、機体の開閉過程において、ピボット部材が第一位置から第二位置まで、或いは第二位置から第一位置まで回転を行う際に、第一支持部材の係合接触部が接触部に未接触となって押圧されず、ダンピング効果が発生しない。ピボット部材が第二位置から第三位置まで、或いは第三位置から第二位置まで回転を行う際に、第一支持部材の係合接触部が接触部に持続的に接触して押圧され、ダンピング効果が発生する。これにより、本考案に係るシャフト装置は、構造内部にダンパー装置が増設されることにより空間が節約され、製造コストも低下する。
【図面の簡単な説明】
【０００７】
【図１】本考案の一実施形態によるに係るシャフト装置を説明する外観斜視図である。
【図２】図１に示すシャフト装置を説明する分解図である。
【図３】図１に示すシャフト装置の第一固持部材を説明する斜視図である。
【図４】図１に示すシャフト装置のピボット部材を説明する斜視図である。
【図５】図１に示すシャフト装置の第二固持部材を説明する斜視図である。
【図６】図１に示すシャフト装置のダンパーモジュールを説明する分解図である。
【図７】図１に示すシャフト装置が第一位置まで回転を行う断面図である。
【図８】図１に示すシャフト装置が第二位置まで回転を行う断面図である。
【図９】図１に示すシャフト装置が第三位置まで回転を行う断面図である。
【考案を実施するための形態】
【０００８】
以下、図面を参照しつつ、本考案に係るシャフト装置について技術内容、構造、達成できる目的及び効果を具体的に説明する。
【０００９】
図１及び図２に示されるように、本考案のシャフト装置１００は、用紙及びカードのスキャン機能を有するスキャナー（図示せず）に応用され、前記スキャナーは機体（図示せず）を備える。機体は回転を行うことにより開閉される。前記スキャナーのシャフト装置１００は第一固持部材１０と、ピボット部材２０と、弾性押圧モジュール３０と、第二固持部材４０と、ダンパーモジュール５０と、第一支持部材６０とを含む。
【００１０】
次は、図２及び図３に示されるように、前記第一固持部材１０には上から下にかけて収容溝１１が開設され、第一固持部材１０の上端の両側にはピボット孔１２がそれぞれ開設され、ピボット孔１２内にはピボットシャフト１３が固持される。第一固持部材１０の上部の外側には第一固定溝１４が開設され、第一固持部材１０の前端の上縁には第二固定溝１５が開設される。収容溝１１の溝底壁には２つのボス１７が設置される凸プレート１６が凸設される。
【００１１】
次は、図２及び図４に示されるように、前記ピボット部材２０は第一固持部材１０に枢着され、ピボット部材２０は第一固持部材１０に対して第一位置、第二位置及び第三位置まで回転を行う。具体的には、ピボット部材２０は固持部２１及び固持部２１の後端から後に向けて延伸されて形成されるピボット部２２を有し、固持部２１の下表面から上向きに開放溝２１１が開設され、開放溝２１１の後端の溝壁の中央部には前に向けて突出するようにストッパー２１２が形成される。固定部２１の上表面には固持溝２１３が開設され、固持溝２１３内には前後に延伸されると共に開放溝２１１に連通される後退溝２１４が開設される。ピボット部２２の底部はカム状を呈し、ピボット部２２にはピボット孔２２１が開設される。ピボットシャフト１３はピボット孔２２１内に枢着され、ピボット部材２０は第一固持部材１０に対して回転を行う。
【００１２】
図２を参照し、前記弾性押圧モジュール３０は第一固持部材１０内に固持されるように収容され、弾性押圧モジュール３０はピボット部材２０を弾性により押圧し、ピボット部材２０が第一固持部材１０との相対的な位置を保持させるようにする。具体的には、弾性押圧モジュール３０は弾性部材３１と、プランジャ３２と、ピン３３とを備える。弾性部材３１及びプランジャ３２は第一固持部材１０の収容溝１１内に収容され、プランジャ３２の頂端には細長い凹部３２１が開設され、プランジャ３２は底端から上向きに弾性収容溝３２２が開設される。ピン３３は凹部３２１内に収容され、弾性部材３１は弾性収容溝３２２内に収容されると共にプランジャ３２を弾性により押圧し、ピン３３がピボット部２２に当接される。
【００１３】
次は、図２及び図５に示されるように、前記第二固持部材４０は機体とピボット部材２０との間に固定されるように装設され、第二固持部材４０には上下に貫通される収容溝４１が開設される。具体的には、第二固持部材４０及びピボット部材２０は機体の開閉に従って回転を行い、第二固持部材４０の下端は固持溝２１３内に固持され、第二固持部材４０はねじによりピボット部材２０にロックされる。収容溝４１の前端の上縁の両側の溝壁には第一固定軸孔４２がそれぞれ開設され、第一固定軸孔４２内には第一固定軸４２１が固定されるように装設される。収容溝４１の後端の上縁の両側の溝壁には第二固定軸孔４３がそれぞれ開設され、第二固定軸孔４３内には第二固定軸４３１が固定されるように装設される。
【００１４】
続いて、図２及び図６に示されるように、前記ダンパーモジュール５０は収容溝４１内に収容され、ダンパーモジュール５０はダンパー５１と、ダンパー固持部材５２と、弾性部材５３とを備える。ダンパー５１は固定部５１１及び接触部５１２を有し、固定部５１１はダンパー固持部材５２に固定されるように装設され、接触部５１２は弾性により上下に押圧する。ダンパー固持部材５２の頂端は第二固持部材４０に枢着され、弾性部材５３の一端は第二固持部材４０に固持され、他端はダンパー固持部材５２の頂端の一側に固持される。具体的には、接触部５１２の後端には係止溝５１３が開設され、ストッパー２１２は係止溝５１３に可動に収容されるか、または脱離される。ダンパー固持部材５２は本体５２１及び本体５２１の頂端から後に向けて延伸されるように形成される連結部５２２を有し、本体５２１の下端の両側にはそれぞれ両側に向けて後向きに延伸される第一係止部５２３が形成され、本体５２１の下端縁には後に向けて延伸される第二係止部５２４が形成される。連結部５２２の頂端の中央部箇所にはフック部５２５が設けられ、連結部５２２の後端には孔部５２６が開設され、連結部５２２の後端の下表面からは突出するように第三係止部５２７が形成される。フック部５２５は第一固定軸４２１に引っ掛けられ、弾性部材５３の一端は第二固定軸４３１に固定されるように引っ掛けられ、弾性部材５３の他端は孔部５２６に固定されるように引っ掛けられる。ダンパー５１の固定部５１１は第一係止部５２３、第二係止部５２４及び第三係止部５２７を介してダンパー固持部材５２に固持される。
【００１５】
図２を参照し、前記第一支持部材６０は第一固持部材１０に固持される。具体的には、本実施形態では、第一支持部材６０は金属部材であり、第一支持部材６０はベース６１を有し、ベース６１の両側から後ろ向きに湾曲されて延伸された後に上向きに湾曲されて延伸される延伸部６２及びベース６１の上端縁から後向きに湾曲されて延伸される係合接触部６３が形成される。ベース６１及び延伸部６２はねじにより第一固定溝１４内に固持されるように収容され、係合接触部６３は第二固定溝１５内に係合されるように収容される。
【００１６】
なお、図７乃至図９に示されるように、機体によりピボット部材２０が連動されて第一位置から第二位置まで回転を行うと、第一支持部材６０が接触部５１２に未接触となって押圧されず、ダンピング効果を有さず、ダンパー固持部材５２により固定部５１１が連動されると弾性部材５３の弾性作用により固定されて動かなくなる。機体によりピボット部材２０が連動されて第二位置から第三位置まで回転を行うと、第一支持部材６０が接触部５１２に持続的に接触して押圧され、ダンピング効果を有し、ダンパー固持部材５２により固定部５１１が連動されると弾性部材５３の弾性作用及び第一支持部材６０の押圧作用により収容溝４１内で擺動を行う。具体的には、機体が回転して開かれることによりピボット部材２０が連動されて第一位置まで回転を行う際に（図７参照）、第一支持部材６０の係合接触部６３が接触部５１２に未接触となって押圧されず、弾性部材５３の弾性によりダンパー固持部材５２が引っ張られることでダンパー５１の接触部５１２が連動されて第四位置まで擺動を行う。この際に、ダンパー５１が後退溝２１４の一端まで擺動を行い、ストッパー２１２が接触部５１２の係止溝５１３内に止着される。ピボット部材２０が第一位置と第二位置との間まで回転を行うと、第一支持部材６０の係合接触部６３が依然として接触部５１２に未接触となって押圧されない。ピボット部材２０が第二位置まで回転を行うと（図８参照）、第一支持部材６０の係合接触部６３が接触部５１２に接触して押圧される。ピボット部材２０が第二位置から第三位置に向けて回転を行う場合、第一支持部材６０の係合接触部６３が接触部５１２に接触して押圧されることで弾性によって上に移動させられ、同時に、ダンパー５１が後退溝２１３の一端から他端まで小幅に擺動を行う。ピボット部材２０が第三位置まで回転を行うと（図９参照）、機体が閉まった状態となり、第一支持部材６０の係合接触部６３が接触部５１２に接触して押圧され、ダンパー５１が第五位置まで擺動を行う。この際、第一支持部材６０の係合接触部６３がピボット部材２０の開放溝２１１の両側の溝壁の下表面に当接され、ストッパー２１２が接触部５１２の係止溝５１３から脱離される。
【００１７】
図２を参照し、本考案のシャフト装置１００は、第二支持部材７０を更に有する。本実施形態において、第二支持部材７０は金属部材であり、第二支持部材７０は第一固持部材１０の収容溝１１内に固定されるように収容される。具体的には、第二支持部材７０は基板７１及び基板７１の両側から上向きに湾曲されて延伸された後に後上方に向けて湾曲されて延伸されるように形成される２枚の側板７２を有し、基板７１には係合孔７１１が開設され、基板７１の前縁及び後縁にはそれぞれ下向きに湾曲されて延伸される係合フック部７１２が形成される。ボス１７は係合孔７１１内に係合され、２つの係合フック部７１２は凸プレート１６の前表面及び後表面にそれぞれ係合され、２枚の側板７２の上端はねじにより第一固持部材１０及び第一支持部材６０にロックされる。第一支持部材６０及び第二支持部材７０の設計によりシャフト装置１００全体の構造強度が強化される。
【００１８】
次は、図７乃至図９に示されるように、本考案に係るシャフト装置１００の作動時に、機体が完全に開かれた状態になると、第二固持部材４０により機体とピボット部材２０との間に固定されるように装設され、機体によりピボット部材２０が連動されて第一位置まで回転を行うと（図７参照）、第一支持部材６０の係合接触部６３が接触部５１２に未接触となって押圧されず、弾性部材５３の弾性によりダンパー固持部材５２が引っ張られることによりダンパー５１の接触部５１２が連動されて第四位置まで擺動を行う。この際、ダンパー５１が後退溝２１４の一端まで擺動を行い、ストッパー２１２が接触部５１２の係止溝５１３内に止着され、ダンピング効果が発生する。機体が閉められると、ピボット部材２０が回転を継続させ、第二位置まで回転を行うと（図８参照）、第一支持部材６０の係合接触部６３が接触部５１２に接触して押圧を開始させる。この際、ダンピング効果が生じ始める。ピボット部材２０が第三位置まで回転を行うと（図９参照）、第一支持部材６０の係合接触部６３が接触部５１２に接触して押圧されることで弾性により上に移動させられ、同時に、ダンパー５１が後退溝２１４の一端から他端に向けて第五位置まで小幅に擺動を行い、第一支持部材６０の係合接触部６３がピボット部材２０の開放溝２１１の両側の溝壁の下表面に当接され、ストッパー２１２が接触部５１２の係止溝５１３から脱離される。この際、機体が閉められた状態となり、ダンピング効果が発生する。機体が再度開かれると、ピボット部材２０が第三位置から第二位置まで回転を行い（図８参照）、第一支持部材６０の係合接触部６３が接触部５１２に接触して押圧され、ダンピング効果が発生する。ピボット部材２０が第二位置から第一位置まで回転を行うと（図７参照）、第一支持部材６０の係合接触部６３が接触部５１２から脱離され、接触部５１２が元の位置に戻され、固定部５１１が弾性部材５３の弾性引張作用により元の位置に戻され、ダンピング効果が発生しなくなる。
【００１９】
上述したように、本考案のシャフト装置１００は、機体の開閉過程において、ピボット部材２０が第一位置から第二位置まで、或いは第二位置から第一位置まで回転を行うと、第一支持部材６０の係合接触部６３が接触部５１２に未接触となって押圧されず、ダンピング効果が発生しない。ピボット部材２０が第二位置から第三位置まで、或いは第三位置から第二位置まで回転を行うと、第一支持部材６０の係合接触部６３が接触部５１２に持続的に接触して押圧され、ダンピング効果が発生する。よって、本考案に係るシャフト装置１００は、構造内部にダンパー装置が増設されるため空間が節約され、製造コストも低下する。また、第一支持部材６０及び第二支持部材７０の設計によりシャフト装置１００全体の構造強度が強化される。
【符号の説明】
【００２０】
１００  シャフト装置
１０    第一固持部材
１１    収容溝
１２    ピボット孔
１３    ピボットシャフト
１４    第一固定溝
１５    第二固定溝
１６    凸プレート
１７    ボス
２０    ピボット部材
２１    固持部
２１１  開放溝
２１２  ストッパー
２１３  固持溝
２１４  後退溝
２２    ピボット部
２２１  ピボット孔
３０    弾性押圧モジュール
３１    弾性部材
３２    プランジャ
３２１  凹部
３２２  弾性収容溝
３３    ピン
４０    第二固持部材
４１    収容溝
４２    第一固定軸孔
４２１  第一固定軸
４３    第二固定軸孔
４３１  第二固定軸
５０    ダンパーモジュール
５１    ダンパー
５１１  固定部
５１２  接触部
５１３  係止溝
５２    ダンパー固持部材
５２１  本体
５２２  連結部
５２３  第一係止部
５２４  第二係止部
５２５  フック部
５２６  孔部
５２７  第三係止部
５３    弾性部材
６０    第一支持部材
６１    ベース
６２    延伸部
６３    係合接触部
７０    第二支持部材
７１    基板
７１１  係合孔
７１２  係合フック部
７２    側板
【図１】
0003215562.tif 000003
【図２】
0003215562.tif 000004
【図３】
0003215562.tif 000005
【図４】
0003215562.tif 000006
【図５】
0003215562.tif 000007
【図６】
0003215562.tif 000008
【図７】
0003215562.tif 000009
【図８】
0003215562.tif 000010
【図９】
0003215562.tif 000011